(57)【特許請求の範囲】
【請求項１】
左右に隣り合って対向して縦方向に延びる複数本の支柱４を設け、これら支柱４に夫々ルーバー支持アーム５を支柱長さ方向一定間隔おきに多数設け、これら支柱４相互間で左右横方向に対向する複数のルーバー支持アーム５ごとにルーバー６の幅方向中央部を軸支して、多数のルーバー６をその幅方向中央部を開閉支点として上下多段状に開閉可能に配設し、左右に隣り合って対向する支柱４，４のうち、所要の１つの支柱４に隣接する位置で多数の縦方向に対向するルーバー６の一側端部どうしをルーバー開閉用連杆１６によって枢支連結し、このルーバー開閉用連杆１６と前記１つの支柱４と間に、このルーバー開閉用連杆１６を揺動させてルーバー６を連動開閉させるルーバー開閉リンク機構１７を介装すると共に、左右に隣り合って対向する支柱４，４の中間部で多数の縦方向に対向するルーバー６の一側端部どうしを、前記ルーバー開閉用連杆１６に同調して揺動する揺れ止め用連杆２３によって枢支連結してなる可動ルーバー装置。
【発明の詳細な説明】
【０００１】
【発明の属する技術分野】
本発明は、建物の窓開口部に面格子として使用される他、ベランダ等の手摺りとして、また柵（フェンス）や囲いとして使用され、更にはアーケードの採光調整用ルーバー等として使用される可動ルーバー装置に関するものである。
【０００２】
【従来の技術及びその課題】
従来、建物窓開口部の面格子として使用される可動ルーバー装置は、左右縦枠と上下横枠とからなる面格子周枠内に、例えば左右方向に長いルーバーを多段状に配置して、各ルーバーの両端部を面格子周枠の左右縦枠に夫々回転可能に軸支してなるもので、面格子の四周が面格子周枠によって縁取りされる構成のため、ルーバーが周枠により圧迫されるような印象を与えて、外見的に重苦しく感じ、またこのような周枠を左右縦枠と上下横枠とによって形成するため、部材点数が多く、製作費が高くつくと言う問題がある。
【０００３】
本発明は、従来の可動ルーバー装置のような周枠を形成することなく、多数のルーバーを開閉可能に配設することによって、圧迫感がなく、外見的にすっきりとした好印象を与えることができると共に、部材点数を少なくできて、製作費を安くできる可動ルーバー装置を提供することを目的とする。
【０００４】
【課題を解決するための手段】
請求項１に係る可動ルーバー装置は、左右に隣り合って対向して縦方向に延びる複数本の支柱４を設け、これら支柱４に夫々ルーバー支持アーム５を支柱長さ方向一定間隔おきに多数設け、これら支柱４相互間で左右横方向に対向する複数のルーバー支持アーム５ごとにルーバー６の幅方向中央部を軸支して、多数のルーバー６をその幅方向中央部を開閉支点として上下多段状に開閉可能に配設し、左右に隣り合って対向する支柱４，４のうち、所要の１つの支柱４に隣接する位置で多数の縦方向に対向するルーバー６の一側端部どうしをルーバー開閉用連杆１６によって枢支連結し、このルーバー開閉用連杆１６と前記１つの支柱４と間に、このルーバー開閉用連杆１６を揺動させてルーバー６を連動開閉させるルーバー開閉リンク機構１７を介装すると共に、左右に隣り合って対向する支柱４，４の中間部で多数の縦方向に対向するルーバー６の一側端部どうしを、前記ルーバー開閉用連杆１６に同調して揺動する揺れ止め用連杆２３によって枢支連結してなることを特徴とする。
【０００５】
【発明の実施の形態】
図１は面格子として実施した本発明に係る可動ルーバー装置の正面図であり、図２はその面格子の概略横断面図、図３は概略縦断面図である。図４は図１のＸ−Ｘ線拡大断面図、図５は図１のＹ−Ｙ線拡大断面図であり、また図６は図４のＵ−Ｕ線拡大断面図、図７は図４のＶ−Ｖ線拡大断面図、図８は図４のＷ−Ｗ線拡大断面図である。ここに示す可動ルーバー装置１は、建物躯体２の窓開口部３の室外側に夫々上下縦方向に延びる左右２本の支柱４，４を設け、両支柱４，４には夫々室外側に突出するルーバー支持アーム５を支柱長さ方向一定間隔おきに多数設け、両支柱４，４相互間で左右横方向に対応する２つの支持アーム５，５ごとにルーバー６を軸支することによって、多数の横長ルーバー６を上下多段状に開閉可能に配設したものである。尚、窓開口部３の室内側には引き戸障子用サッシ７が取り付けられている。
【０００６】
左右各支柱４は、図４及び図５に示すように、アルミニウム合金の押し出し型材からなる支柱本体４ａと、この支柱本体４ａの一隅角部に凹設された凹段部４ｏに係嵌される同様な押し出し型材製の押え枠４ｂとによって形成される。ルーバー支持アーム５は、図６に示すように、上下縦方向に延びる基杆８の一側端部にその長さ方向一定間隔おきに多数一体形成されたもので、各ルーバー支持アーム５の先端部にはピン孔５ａが設けられている。これらルーバー支持アーム５と基杆８とは金属板を例えば打ち抜きプレス加工することによって形成される。尚、基杆８は複数に分割形成される。
【０００７】
また図４及び図５を参照すると、上記のように多数のルーバー支持アーム５を形成した基杆８が支柱本体４ａの凹段部４ｏ内に挿入されて、基杆８のビス孔８ａから支柱本体４ａにビス９止めされ、この状態で押え枠４ｂが凹段部４ｏに係嵌されて図示のようになる。左右各支柱４は、複数の取付金具１０により引き戸障子用サッシ７の室外側突条部７ａに取り付けられて、窓開口部３の室外側定位置に夫々固定される。各取付金具１０は、支柱４にビス１１止めされる金具本体１０ａと、サッシ７の室外側突条部７ａに嵌合される嵌合部１０ｂとによって構成される。
【０００８】
各ルーバー６は、図６〜図８に示すように、アルミニウム合金の押し出し型材によって、一定の幅と厚みと長さを有する中空帯板状に形成されたもので、その幅方向中心部及び幅方向両端部には軸孔１２，１３が夫々ルーバー６の全長に亘って貫通形成されている。そして、中心部側の軸孔１２に枢支ピン１４を嵌挿し、この枢支ピン１４を各ルーバー支持アーム５の先端部に取り付けることによって、各ルーバー支持アーム５の先端部にルーバー６が軸支される。
【０００９】
各ルーバー支持アーム５の先端部にルーバー６を軸支するにあたっては、図４〜図８、特に図５から分かるように、中空帯板状アルミ押し出し型材からなる各ルーバー６の裏面（ルーバー６が閉じた時に室内側を向く面）側の端部に、ルーバー６幅方向に切り込み溝１５を、ルーバー６の表面（ルーバー６が閉じた時に室外側を向く面）側に貫通しないように形成し、この切り込み溝１５にルーバー支持アーム５の先端部を挿入すると共に、ルーバー６の中心部側軸孔１２に嵌挿した枢支ピン１４を当該ルーバー支持アーム５の先端部のピン孔５ａに挿着すればよい。しかして、左右両支柱４，４で左右横方向に対応する２つのルーバー支持アーム５，５ごとに上記のようにルーバー６を軸支することによって、多数の横長ルーバー６が上下多段状に開閉可能となる。
【００１０】
図５及び図７に示すように、左右両支柱４のうち、例えば左側の支柱４に隣接する位置で全てのルーバー６の室内側端部どうしがルーバー開閉用連杆１６によって枢支連結され、このルーバー開閉用連杆１６と上記左側の支柱４との間に、このルーバー開閉用連杆１６を揺動させて各ルーバー６を図７の実線で示す開放位置と同図の仮想線で示す閉鎖位置とに連動開閉させるルーバー開閉リンク機構１７が介装されている。
【００１１】
ルーバー開閉用連杆１６にはその一側端に、多数の（ルーバー６と同じ数の）突片１７が前記ルーバー支持アーム５の配設間隔と同じ間隔おきに突設されている。しかして、この連杆１６によりルーバー６の室内側端部どうしを枢支連結するには、図５及び図７に示すように、各ルーバー６の裏面の室内側端部に切り込み溝１８を形成し、この切り込み溝１５に突片１７を挿入すると共に、ルーバー６の端部側軸孔１３に嵌挿した枢支ピン１９を、当該突片１７の先端部に設けてあるピン孔１７ａに挿着すればよい。
【００１２】
ルーバー開閉リンク機構２７は、図５及び図７に示すように、ルーバー開閉用連杆１６の所要部に固定リンク２０の一端部を固着して、その他端部を室内側に突出させ、この固定リンク２０の近傍位置で揺動操作レバー２１の一端部を支柱４に枢着し、このレバー２１の所要部と上記固定リンク２０の突出端部とを揺動リンク２２によって枢支連結してなるものである。揺動操作レバー２１の遊端部側が図７に示すように右下がりの状態で、各ルーバー６が全開姿勢にあり、しかしてこの状態から揺動操作レバー２１の遊端部側を同図の仮想線図示のように右上がり状態に引き上げると、揺動リンク２２及び固定リンク２０を介してルーバー開閉用連杆１６が室外側へ上向きに揺動し、それにより各ルーバー６はルーバー支持アーム５との枢支部を中心に一斉に回転して同図の仮想線で示すような全閉姿勢となる。
【００１３】
ここに示したルーバー開閉リンク機構２７は一例であって、ルーバー開閉用連杆１６を揺動させて各ルーバー６を一斉に連動開閉させるものであれば、どうような機構でもよい。いずれにしても、上記のようにルーバー開閉用連杆１６とルーバー開閉リンク機構１７とを採用することによって、ルーバー６を簡単容易に開閉させることができる。また、ルーバー開閉リンク機構２７には、図７の実線で示すようなルーバー６の全開位置、同図の仮想線で示すような全閉位置、更にこれら全開位置と全閉位置との中間位置でルーバー６をロックするロック手段を付設することができる。
【００１４】
また、図４、図５及び図８に示すように、左右両支柱４，４の中間部で各ルーバー６の室内側端部どうしが揺れ止め用連杆２３によって枢支連結されている。この揺れ止め用連杆２３は、前記ルーバー開閉用連杆１６と同じ構造であって、図８から分かるように揺れ止め用連杆２３にはその一側端に、ルーバー６と同じ数の突片２４が前記ルーバー支持アーム５の配設間隔と同じ間隔おきに突設されている。この連杆２３によりルーバー６の室内側端部どうしを枢支連結するには、各ルーバー６の裏面の室内側端部に切り込み溝２５を形成し、この切り込み溝２５に突片２４を挿入すると共に、ルーバー６の端部側軸孔１３に嵌挿した枢支ピン２６を、当該突片２４の先端部に設けてあるピン孔に挿着すればよい。
【００１５】
このように左右両支柱４，４の中間部で各ルーバー６の室内側端部どうしを揺れ止め用連杆２３で枢支連結することによって、ルーバー６が開放している時に各ルーバー６が不都合に揺れるのを阻止すると共に、ルーバー６相互の間隔を一定に保持することができる。この揺れ止め用連杆２３は、両支柱４，４の中間部に複数本配置してもよい。
【００１６】
上述した面格子としての可動ルーバー装置１は、窓開口部３の室外側に左右２本の支柱４，４を設け、両支柱４，４には夫々室外側に突出するルーバー支持アーム５を支柱長さ方向一定間隔おきに多数設け、両支柱４，４相互間で左右横方向に対応する２つのルーバー支持アーム５，５ごとにルーバー６を軸支することによって、多数の横長ルーバー６を上下多段状に開閉可能に配設したもので、従来の可動ルーバー装置のように左右縦枠及び上下横枠によって形成される面格子周枠を使用しないため、周枠による圧迫感がなくなり、外見的にすっきりとした好印象を与えることができる。また、面格子周枠が不要であるから、ルーバー面格子を構成する部材点数が少なく、製作コストを安くできる。
【００１７】
図９は、柵や囲いとして実施した可動ルーバー装置３１を示したもので、例えばコンクリート製の堰壁３０上に上下縦方向に延びる支柱４を堰壁３０の長さ方向所要間隔おきに立設し、各支柱４にはルーバー支持アーム５が支柱長さ方向一定間隔おきに多数突設してあって、これら複数の支柱４相互間で左右横方向に対応する複数の支持アーム５ごとにルーバー６を軸支することによって、横方向に長い多数のルーバー６を上下多段状に開閉可能としている。また、左右に隣合って対向する支柱４，４の中間部では、これら多数のルーバー６の一側端部どうしを揺れ止め用連杆２３によって枢支連結している。
【００１８】
また、この可動ルーバー装置３１には、図示は省略するが、図１〜図８に示される可動ルーバー装置１と同様に、多数のルーバー６の一側端部どうしをルーバー開閉用連杆によって枢支連結し、この連杆と１つの支柱４との間に、各ルーバー６を連動開閉させるルーバー開閉リンク機構が設けられる。ルーバー６は、継ぎ足すことによって、必要とする所望の長さに延長することができる。
【００１９】
また、上述した実施形態では、ルーバー開閉用連杆１６とルーバー開閉リンク機構２７とによって、ルーバー６の全部を一斉に開閉させるようにしているが、例えば図１〜図８に示す実施形態のように横長ルーバー６が上下に２０枚配列されているとした場合に、その上半分の１０枚のルーバー６群と下半分の１０枚のルーバー６群とを夫々独立して、ルーバー６群ごとに連動開閉させるようにしてもよい。この場合には、各ルーバー６群ごとにルーバー開閉用連杆１６とルーバー開閉リンク機構２７を設ければよい。
【００２０】
また、以上述べた実施形態では、支柱を上下縦方向に延びるように設けているが、例えばアーケードの採光調整用ルーバーを構成する場合は、複数本の支柱を水平面に沿って縦方向に延びるように設け、これら支柱に夫々ルーバー支持アームを支柱長さ方向一定間隔おきに多数設けておいて、これら支柱相互間で横方向に対応する複数のルーバー支持アームごとにルーバーを軸支すればよい。
【００２１】
【発明の効果】
請求項１に係る発明の可動ルーバー装置は、左右に隣り合って対向して縦方向に延びる複数本の支柱４を設け、これら支柱４に夫々ルーバー支持アーム５を支柱長さ方向一定間隔おきに多数設け、これら支柱４相互間で左右横方向に対向する複数のルーバー支持アーム５ごとにルーバー６の幅方向中央部を軸支して、多数のルーバー６をその幅方向中央部を開閉支点として上下多段状に開閉可能に配設してなるもので、従来のように縦枠及び横枠によって形成される周枠を用いないから、そのような周枠による圧迫感がなくなり、外見的にすっきりとした好印象を与え、外観上の見栄え、体裁が非常に良好となる。また、そのような周枠が不要となるため、可動ルーバー装置を構成する部材点数が少なく、可動ルーバー装置の製作コストを低減できる効果がある。
【００２２】
また本発明によれば、左右に隣り合って対向する支柱４，４のうち、所要の１つの支柱４に隣接する位置で多数の縦方向に対向するルーバー６の一側端部どうしをルーバー開閉用連杆１６によって枢支連結し、このルーバー開閉用連杆１６と前記１つの支柱４と間に、このルーバー開閉用連杆１６を揺動させてルーバー６を連動開閉させるルーバー開閉リンク機構１７を介装することによって、ルーバーを簡単容易に開閉させることができる。
【００２３】
更に本発明によれば、左右に隣り合って対向する支柱４，４の中間部で多数の縦方向に対向するルーバー６の一側端部どうしを、前記ルーバー開閉用連杆１６に同調して揺動する揺れ止め用連杆２３によって枢支連結することより、ルーバーが開放している時に各ルーバーが不都合に揺れるのを阻止できると共に、ルーバー相互の間隔を一定に保持することができる。
【図面の簡単な説明】
【図１】  本発明に係る可動ルーバー装置の一実施形態を示す正面図である。
【図２】  同上の面格子の概略横断面図である。
【図３】  同上の面格子の概略縦断面図である。
【図４】  図１のＸ−Ｘ線拡大断面図である。
【図５】  図１のＹ−Ｙ線拡大断面図である。
【図６】  図４のＵ−Ｕ線拡大断面図である。
【図７】  図４のＶ−Ｖ線拡大断面図である。
【図８】  図４のＷ−Ｗ線拡大断面図である。
【図９】  （Ａ）は本発明に係る可動ルーバー装置の他の実施形態を示す正面図、（Ｂ）はその側面図である。
【符号の説明】
１                可動ルーバー装置
２                建物躯体
３                窓開口部
４                支柱
５                ルーバー支持アーム
６                ルーバー
１６              ルーバー開閉用連杆
１７              ルーバー開閉リンク機構
２３              揺れ止め用連杆
３１              可動ルーバー装置
【図１】
0004598235.tif 000002
【図２】
0004598235.tif 000003
【図３】
0004598235.tif 000004
【図４】
0004598235.tif 000005
【図５】
0004598235.tif 000006
【図６】
0004598235.tif 000007
【図７】
0004598235.tif 000008
【図８】
0004598235.tif 000009
【図９】
0004598235.tif 000010